(57)【要約】【課題】白癬菌が感染した部位が薄い皮膚、固い皮膚、やわからい皮膚の水虫でも治癒に十分な量の水虫治療薬を患部に確実且つ素早く浸透させ、水虫を短期間に完治させる。【解決手段】本発明に係る水虫治療器具１は、平板状の基台２の表面に設けられ、表面に多数の微小突起体１０が突設されたプレート３と、横向き姿勢の半円柱形状を有し、基台２の表面に設けられ、周壁面４ａにプレート３が設けられた隆起体４と、半球形状を有し、隆起体４の周壁面４ａに設けられ、表面にプレート３が設けられた突出体５と、を備えていることを特徴とする。【選択図】図１
2015112388.tif 000002
【特許請求の範囲】
【請求項１】
平板状の基台の表面に設けられ、表面に多数の微小突起体が突設されたプレートと、
横向き姿勢の半円柱形状を有し、前記基台の表面に設けられ、周壁面に前記プレートが設けられた隆起体と、
半球形状を有し、前記隆起体の周壁面に設けられ、表面に前記プレートが設けられた突出体と、
を備えていることを特徴とする水虫治療器具。
【請求項２】
前記プレートは、前記基台と前記隆起体と前記突出体とに対してそれぞれ脱着可能に取り付けられ、筒状に屈曲可能な弾性を有していることを特徴とする請求項１に記載の水虫治療器具。
【請求項３】
前記基台に繋止されるブラシをさらに備えており、該ブラシは、細長い柄状の土台と、該土台の一端部のいずれか一方の面に形成される第１ブラシ部と、前記土台の他端部のいずれか一方の面に形成される第２ブラシ部と、前記土台の他端部において前記第２ブラシ部の反対側の他方の面に形成される第３ブラシ部と、を備え、
第１ブラシ部には同一直径で異なる高さの毛の集合体が等間隔で多数本植設され、第２ブラシ部には同一直径でほぼ同一高さの毛の集合体が等間隔で多数本植設され、第３ブラシ部には同一直径でほぼ同一高さの毛の集合体が等間隔で多数本植設され、前記第１ブラシ部の毛の集合体の植設間隔は、前記第２ブラシ部及び前記第３ブラシ部の毛の集合体の植設間隔より広く、前記第２ブラシ部の毛の集合体の植設間隔と前記第３ブラシ部の毛の集合体の植設間隔は同一であり、前記第２ブラシ部の毛の集合体の高さは前記第３ブラシ部の毛の集合体の高さより高いことを特徴とする請求項１又は２に記載の水虫治療器具。
【請求項４】
第１ブラシ部には、直径が０．６ｍｍのナイロン製の毛を多数本集合させて１．５〜５ｃｍの範囲の異なる高さに形成させた前記毛の集合体が１５ｍｍの等間隔で多数本植設されており、
第２ブラシ部には、直径が０．６ｍｍのナイロン製の毛を多数本集合させて２．５ｃｍ±３〜４ｍｍの高さに形成させた前記毛の集合体が７ｍｍの等間隔で多数本植設されており、
第３ブラシ部には、直径が０．６ｍｍのナイロン製の毛を多数本集合させて１ｃｍ±３〜４ｍｍの高さに形成させた前記毛の集合体が７ｍｍの等間隔で多数本植設されていることを特徴とする請求項３に記載の水虫治療器具。
【発明の詳細な説明】
【技術分野】
【０００１】
本発明は、水虫を治療するために使用する水虫器具に関するものである。
【背景技術】
【０００２】
従来、足の裏や指の間や爪の間などの部位に白癬菌が感染することにより発症する水虫を治療するためにいろいろな水虫治療薬が開発されている。このような水虫治療薬は、水虫を発症した患部に直接塗布されるか、或いは、水虫治療薬を塗布した後にブラシなどでブラッシングして浸透を促すようになっている。（例えば、特許文献１又は２を参照）
【先行技術文献】
【特許文献】
【０００３】
【特許文献１】特開平６−１１６１５２号会報
【特許文献２】特開２００８―２３９６２６号公報
【発明の概要】
【発明が解決しようとする課題】
【０００４】
しかしながら、上記した従来の水虫の治療薬を使用する方法では、水虫の白癬菌の影響で、角質化していた肉厚の皮膚が改善され、薄く柔らかくなり伸縮性や弾力性が増す。そのため、直接患部に水虫治療薬を塗布する治療法や、反発力、抵抗力が大きいブラシなどで患部をブラッシングする治療法では、改善された皮下の水虫を完治できない。なぜなら、皮膚が薄く柔らかいと、伸縮性や弾力性が高くなり、ブラッシングの反発力や抵抗力に従って皮膚が大きくスライドし伸び縮みし、吸収、拡散する。また、皮下の骨に直に反発して跳ね返り水虫治療薬の有効成分を皮下の白癬菌に届ける前に、力作用が反発して元の方向へ跳ね返り一定方向への推進力を維持できない。
【０００５】
このように薄い皮膚、柔らかい皮膚、伸縮性の高い皮膚、弾力性がある皮膚、押せば内側に陥没する皮膚、急峻な段差を形成する皮膚、自在に変形する皮膚、球体に近い丸みを帯びる皮膚、あるいは魚の目、胼胝のように異常に硬化した皮膚、皮下の真下に骨が位置する場合における水虫（以下、「薄い皮膚、固い皮膚、やわからい皮膚の水虫」）の感染は、患部に直接水虫治療薬を塗布しブラシでブラッシングしても、完治できない。
【０００６】
本発明は、上記した課題を解決すべきなされたものであり、白癬菌が感染し
た部位が薄い皮膚、固い皮膚、やわからい皮膚の水虫でも治癒に十分な量の水虫治療薬を患部に確実且つ素早く浸透させ、水虫を短期間に完治させることのできる水虫治療器具を提供することを目的とするものである。
【課題を解決するための手段】
【０００７】
上記した目的を達成するために、本発明に係る水虫治療器具は、平板状の基台の表面に設けられ、表面に多数の微小突起体が突設されたプレートと、横向き姿勢の半円柱形状を有し、前記基台の表面に設けられ、周壁面に前記プレートが設けられた隆起体と、半球形状を有し、前記隆起体の周壁面に設けられ、表面に前記プレートが設けられた突出体と、を備えていることを特徴とする。
【０００８】
また、本発明に係る水虫治療器具において、前記プレートは、前記基台と前記隆起体と前記突出体とに対してそれぞれ脱着可能に取り付けられ、筒状に屈曲可能な弾性を有していることを特徴とする。
【０００９】
また、本発明に係る水虫治療器具は、前記基台に繋止されるブラシをさらに備えており、該ブラシは、細長い柄状の土台と、該土台の一端部のいずれか一方の面に形成される第１ブラシ部と、前記土台の他端部のいずれか一方の面に形成される第２ブラシ部と、前記土台の他端部において前記第２ブラシ部の反対側の他方の面に形成される第３ブラシ部と、を備え、第１ブラシ部には同一直径で異なる高さの毛の集合体が等間隔で多数本植設され、第２ブラシ部には同一直径でほぼ同一高さの毛の集合体が等間隔で多数本植設され、第３ブラシ部には同一直径でほぼ同一高さの毛の集合体が等間隔で多数本植設され、前記第１ブラシ部の毛の集合体の植設間隔は、前記第２ブラシ部及び前記第３ブラシ部の毛の集合体の植設間隔より広く、前記第２ブラシ部の毛の集合体の植設間隔と前記第３ブラシ部の毛の集合体の植設間隔は同一であり、前記第２ブラシ部の毛の集合体の高さは前記第３ブラシ部の毛の集合体の高さより高いことを特徴とする。
【００１０】
また、本発明に係る水虫治療器具において、第１ブラシ部には、直径が０．６ｍｍのナイロン製の毛を多数本集合させて１．５〜５ｃｍの範囲の異なる高さに形成させた前記毛の集合体が１５ｍｍの等間隔で多数本植設されており、第２ブラシ部には、直径が０．６ｍｍのナイロン製の毛を多数本集合させて２．５ｃｍ±３〜４ｍｍの高さに形成させた前記毛の集合体が７ｍｍの等間隔で多数本植設されており、第３ブラシ部には、直径が０．６ｍｍのナイロン製の毛を多数本集合させて１ｃｍ±３〜４ｍｍの高さに形成させた前記毛の集合体が７ｍｍの等間隔で多数本植設されていることを特徴とする。
【発明の効果】
【００１１】
本発明によれば、白癬菌が感染した部位が薄い皮膚、固い皮膚、やわからい皮膚でも治療に十分な量の水虫治療薬を患部に確実且つ素早く浸透させ、水虫を短期間に完治させることができる等、種々の優れた効果を得ることができる。
【図面の簡単な説明】
【００１２】
【図１】本発明の実施の形態に係る水虫治療器具を示す平面図である。
【図２】本発明の実施の形態に係る水虫治療器具を示す側面図である。
【図３】本発明の実施の形態に係る水虫治療器具のブラシを示す側面図である。
【図４】本発明の実施の形態に係る水虫治療器具のブラシの第１ブラシ部を拡大し示す平面図である。
【図５】本発明の実施の形態に係る水虫治療器具のブラシの第２ブラシ部を拡大して示す（第３ブラシ部は図示せず）斜視図である。
【図６】本発明の実施の形態に係る水虫治療器具のブラシの第３ブラシ部を拡大して示す（第２ブラシ部は図示せず）斜視図である。
【図７】本発明の実施の形態に係る水虫治療器具を使用している状態を示す斜視図である。
【図８】本発明の実施の形態に係る水虫治療器具を使用している状態を示す図である。
【図９】本発明の実施の形態に係る水虫治療器具を使用している状態を示す図である。
【図１０】本発明の実施の形態に係る水虫治療器具を使用している状態を示す図である。
【発明を実施するための形態】
【００１３】
以下、図面を参照しつつ、本発明の実施の形態について詳細に説明する。
【００１４】
先ず、図１〜図６により、本実施の形態に係る水虫治療器具の構成について詳細に説明する。ここで、図１は本発明の実施の形態に係る水虫治療器具を示す平面図、図２は本発明の実施の形態に係る水虫治療器具を示す側面図、図３は本発明の実施の形態に係る水虫治療器具のブラシを示す側面図、図４は本発明の実施の形態に係る水虫治療器具のブラシの第１ブラシ部を拡大し示す平面図、図５は本発明の実施の形態に係る水虫治療器具のブラシの第２ブラシ部を拡大して示す（第３ブラシ部は図示せず）斜視図、図６は本発明の実施の形態に係る水虫治療器具のブラシの第３ブラシ部を拡大して示す（第２ブラシ部は図示せず）斜視図である。
【００１５】
本発明の実施の形態に係る水虫治療器具１は、平板状の基台２と、基板２の表面を覆うように設けられる薄板状のプレート３と、基台２の表面中央部において平面視で基台２に対して斜めに設けられる隆起体４と、隆起体４の周壁面４ａに設けられる突出体５と、基台２に紐６等を介して繋止されるブラシ７と、を備えて構成されている。
【００１６】
基台２は、約３０ｃｍ四方の矩形状平面を有し、一角部には円形状の穴８が穿設されている。基台２の裏面には、滑り止め用として、四隅にゴム製の脚部９が突設されており、これにより、プレート３を安定性良く支持できるようになっている。
【００１７】
プレート３は、基台２と隆起体４と突出体５とに対してそれぞれ脱着可能に取り付けられており、例えばポリウレタン製又は合成ゴム製であり、筒状に屈曲可能な弾性を有している。プレート３の表面には多数の微小突起体１０が突設されており、微小突起体１０は四角錐状（ピラミッド型）を成し、３ｍｍ程度の高さを有し、等間隔で配設されている。
【００１８】
隆起体４は、例えば直径が９ｃｍ程度の横向き姿勢の半円柱形状を有し、その周壁面４ａは微小突起体１０を有するプレート３によって覆われている。
【００１９】
突出体５は、卓球で使用する球の半球形状を有し、その表面は微小突起体１０を有するプレート３によって覆われている。
【００２０】
ブラシ７は、細長い柄状の土台１１と、土台１１の一端部のいずれか一方の第１面１２に形成される第１ブラシ部１３と、土台１１の他端部のいずれか一方の第２面１４に形成される第２ブラシ部１５と、土台１１の他端部において第２ブラシ部１５の反対側の他方の第３面１６に形成される第３ブラシ部１７と、を備えて構成されている。
【００２１】
土台１１は、例えば木製等の軽量且つ把持し易い材質製であることが好ましく、例えば２０ｃｍの長さと６ｃｍの幅と２ｃｍの高さを有する直方体形状を有している。土台１１の他端部には穴２１が穿設されており、この穴２１と基台２の穴８との間に紐６等が掛け渡されることでブラシ７が基台２に繋止されている。
【００２２】
第１ブラシ部１３には、同一直径で異なる高さの毛が等間隔で多数本植設されている。例えば、第１ブラシ部１３には、直径が０．６ｍｍのナイロン製の毛を約６０本束ねて５ｍｍ程の外径を有する毛の集合体１８ａ，１８ｂ，１８ｃが縦横共に１５ｍｍの等間隔Ｐ１で縦横３列に植設されている。毛の集合体１８ａ，１８ｂ，１８ｃは外側から内側に向かって１．５〜５ｃｍの範囲で段階的に高さが低くなるように設けられており、最も外側の第１列の毛の集合体１８ａは５ｃｍの高さを有し、中間の第２列の毛の集合体１８ｂは３．５ｃｍの高さを有し、最も内側の第３列の毛の集合体１８ｃは１．５ｃｍの高さを有している。なお、各毛の集合体１８ａ，１８ｂ，１８ｃの毛先は、それぞれ、長い毛と短い毛の間で３〜４ｍｍ程度の高さの差異が生じるように切断されているのが好ましい。
【００２３】
第２ブラシ部１５には、同一直径でほぼ同一高さの毛が等間隔で多数本植設されている。例えば、第２ブラシ部１５には、第１ブラシ部１３の毛の集合体１８ａ，１８ｂ，１８ｃと同様に、直径が０．６ｍｍのナイロン製の毛を約６０本束ねて５ｍｍ程の外径を有する毛の集合体１９が縦横共に７ｍｍの等間隔Ｐ２で密に植設されている。毛の集合体１９は、第２面１４において長さが７ｃｍで幅が６ｃｍの範囲に植設されており、毛の集合体１９は２５ｍｍの高さを有している。なお、毛の集合体１９の毛先は、長い毛と短い毛の間で３〜４ｍｍ程度の高さの差異が生じるように切断されているのが好ましい。
【００２４】
第３ブラシ部１７には、同一直径でほぼ同一高さの毛が等間隔で多数本植設されている。例えば、第３ブラシ部１７には、第１ブラシ部１３及び第２ブラシ部１５の毛の集合体１８ａ，１８ｂ，１８ｃ、及び１９と同様に、直径が０．６ｍｍのナイロン製の毛を約６０本束ねて５ｍｍ程の外径を有する毛の集合体２０が縦横共に７ｍｍの等間隔Ｐ３で密に植設されている。毛の集合体２０は、第３面１６において長さが７ｃｍで幅が６ｃｍの範囲に植設されており、毛の集合体２０は１０ｍｍの高さを有している。なお、毛の集合体２０の毛先は、長い毛と短い毛の間で３〜４ｍｍ程度の高さの差異が生じるように切断されているのが好ましい。
【００２５】
次に、主に図７を参照しつつ、上記した構成を備えた本発明の実施の形態に係る水虫治療器具１を使用して足３０の裏の水虫を治療する方法について説明する。
【００２６】
まず、入浴時に浴室においてふやかした治療する側の足３０の裏の患部に水虫治療薬を塗布した後、浴室の床に載置した基台２上に両足を乗せて直立し、治療をする側の足３０だけを隆起体４上に載せて前後左右に動かし、微小突起体１０の頂点に患部をほぼ垂直に押し当てながら擦りつけ強く踏みマッサージする。その後、再び足３０の患部に水虫治療薬を塗布し、上記したのと同様のマッサージ動作を行ない、以降、この水虫治療薬の塗布及びマッサージ動作を何度か繰り返す。
【００２７】
これにより、水虫治療薬の有効成分が足３０の裏の皮膚の奥の患部まで確実且つ素早く浸透するため、水虫を短期間に完治させることができる。また、上記マッサージ動作を行なう際に、両手を浴室の壁などにつくことによって、転倒事故を防止することができ、安全性を高めることができる。
【００２８】
また、足３０の土踏まずや肉厚の水虫の感染程度が重症な部位を治療する場合には、該重症部位に水虫治療薬を塗布した後、該重症部位を突出体５に乗せ、足３０を突出体５に対して強く踏む動作を繰り返し、突出体５の微小突起体１０に強く押し当てる。これにより水虫治療薬の有効成分が皮膚の奥の患部まで確実且つ素早く浸透するため、水虫を短期に完治させることができる。
【００２９】
一般的に、薄い皮膚、固い皮膚、やわからい皮膚の水虫は、患部をふやかせて直接水虫治療薬を塗布し、抵抗力や反発力が高いブラシを使用してブラッシングしても、水虫は完治できない。しかしながら、上記した本発明の実施の形態に係る水虫治療器具１によれば、隆起体５の微小突起体１０に、ふやかせて水虫治療薬を塗布した両足を乗せて、治療する側の足３０だけに全体重を掛けて押し当てることで、皮膚を平面化して固定し、微小突起体１０の先端の頂点部分には、体重と同じくらいの圧力が加わり、皮膚に食い込む。これにより、水虫治療薬の有効成分が皮膚の奥の患部まで確実且つ素早く浸透するため、薄い皮膚、固い皮膚、やわからい皮膚の水虫でさえも短期に完治させることができる。
【００３０】
次に、主に図８〜１０を参照しつつ、上記した構成を備えた本発明の実施の形態に係る水虫治療器具１のプレート３の別の使用方法について説明する。
【００３１】
図８に示すように、例えば足３０の踵３１の水虫を治療する場合、プレート３を基台２から取り外し、円筒状に丸めたものを片手で握り、その外面の微小突起体１０を、ふやかして水虫治療薬を塗布した踵３１の皮膚面に密着させ、強く押し当てて前後左右にスライドさせて擦りつけマッサージする。
【００３２】
また、図９に示すように、例えば足の指３２と指３３の間にできた水虫を治療する場合、プレート３を基台２から取り外し、ハサミなどで細長く短冊状に切り取ったものの外面の微小突起体１０を、ふやかして水虫治療薬を塗布した皮膚面に密着させ、強く押し当てて上下にスライドさせて擦りつけマッサージする。
【００３３】
さらに、図１０に示すように、例えば手の平４０の親指の付け根の隆起した皮膚の水虫を治療する場合、プレート３を基台２から取り外し、ハサミなどで楕円形又は円形に切り取ったものの外面の微小突起体１０を、ふやかして水虫治療薬を塗布した手の平４０にできた水虫の皮膚に密着させ、強く押し当ててスライドさせて擦りつけマッサージする。
【００３４】
このように上記した本発明の実施の形態に係る水虫治療器具１によれば、微小突起体１０がポリウレタンもしくは合成ゴム製なので、一定の比率で、変形し伸縮する。そのため、突起体１０の集合面であるプレート３や隆起体４に、足３０の水虫の患部の皮膚を、ふやかせて水虫治療薬を塗布した後に、体重をかけて押し当てることにより、薄い皮膚、固い皮膚、やわからい皮膚の水虫であっても、部分的に固定し平面化する。そして、足３０を前後左右に擦り付けるように動かすことで、今度はプレート３や隆起体４の表面の突起体１０に大きな圧力が加わり、固有の比率で微細に変形し伸縮し、皮膚は部分的に伸張運動と収縮運動とを平面化した皮膚上で僅かに発生させる。これにより、水虫治療薬の有効成分が皮膚の奥の患部まで確実且つ素早く浸透するため、薄い皮膚、固い皮膚、やわからい皮膚の水虫でさえも短期に完治させることができる。
【００３５】
また、微小突起体１０は、ポリウレタンもしくは合成ゴム製なので、強い力で皮膚に押し当てても、皮膚を傷つける虞がない。さらに、薄い皮膚、固い皮膚、やわからい皮膚の水虫の感染さえも、微小突起体１０は、患部まで水虫治療薬の有効成分を乗せて３ｍｍもの深層まで沈むので、それらの性質を有する特有の皮膚の水虫えさも、ブラッシングするだけでは届けられないくらいの深層までも水虫治療薬の有効成分を届け、水虫を完治させることができる。
【００３６】
また、足の裏の皮膚の厚さは最大おおよそ５ｍｍと言われているが、本発明の実施の形態に係る水虫治療機部１によれば、水虫治療薬の有効成分を付着させた皮膚を高さ３ｍｍの微小突起体１０の頂点に、全体重を掛けてプレート３や隆起体５の急斜面を踏み込め、ほぼ垂直に全体重をかけることができるため、、５ｍｍに近い３ｍｍ以上まで押し沈むことができ、皮膚の深層に潜む白癬菌を底引網漁船の網の中に魚たちが捕えられるように一掃することができる。
【００３７】
また、微小突起体１０のピラミッド型を形成する斜面は飛行機の方向舵の役割を果たし、ふやかして水虫治療薬を塗布した足３０を乗せて押し当てて前後左右に擦り付けて動かすことで、水虫治療薬の有効成分をまんべんなく皮下に送り届けて浸透させることができる。
【００３８】
さらに、ピラミッド型を形成する微小突起体１０の集合面に足の裏の皮膚を押し当てて、擦り付けて前後左右にスムーズに動かせるのは、頂点の突起体点から斜面へと梃子の原理が働き、体重と重心の移動と分散が瞬時に行われるからである。仮に先端が細い丸い円錐の集合面に足の裏の皮膚を押し当てれば、体重と重は一点に集中するので、前後左右に動かすことはできない。
次に、図１〜図６を参照しつつ、上記した構成を備えた本発明の実施の形態に係る水虫治療器具１のブラシ４を使用する方法について説明する。
【００３９】
足の指の間の水虫を治療する場合には、入浴時に浴室において、直立し治療する側の足を湯船の縁に置き、水虫治療薬をふやかした足の患部に塗布した後、第１ブラシ部１３の毛の集合体１８ａ，１８ｂ，１８ｃを下方に向けた状態で、鍬で土を打つように第１ブラシ部１３の毛の集合体１８ａ，１８ｂ，１８ｃのうちの最も長い第１列の毛の集合体１８ａを指先側に向け、ブラシ７の第１ブラシ部１３の間に土台１１の他端部から一端部に足の指を挿入し、該足の指で毛の集合体１８ａ，１８ｂ，１８ｃを挟んで強く指の付け根に向かって押し込む。そして、第１ブラシ部１３の第３列の毛の集合体１８ｃが、足の指の付け根に達したら、指の付け根を第３列の毛の集合体１８ｃ、第２列の毛の集合体１８ｂ、第１列の毛の集合体１８ａの順にそれらの先端で皮膚を抉り取るように掻き上げる。その後、再度、第１ブラシ部１３を上方向へ持ち上げて、一時、第１ブラシ部１３の毛の集合体１８ａ，１８ｂ，１８ｃと、治療しようとする指の谷間の上で空間を作った後、第１ブラシ部１３の毛の集合体１８ａ，１８ｂ，１８ｃを足の指の先端に挟んでから押し込んで、同じようにマッサージする。これにより、水虫治療薬の有効成分が足の指の皮膚の奥の患部まで確実且つ素早く浸透するために、水虫を短期間に完治させることができる。
【００４０】
また、足の甲の指と足のつなぎ目部分や足の甲や踝付近の薄い皮膚下に感染している水虫を治療する場合には、浴室において、直立し治療しようとする側の足を湯船の縁に置き（あるいは湯船の縁に腰をかけて空中であぐらをかき）、水虫治療薬をふやかした足の患部に塗布した後、第２ブラシ部１５の毛の集合体１９を用いてブラッシングして治療をする。これにより、水虫治療薬の有効成分が足の指の皮膚の奥の患部まで確実且つ素早く浸透するために、水虫を短期間に完治させることができる。
【００４１】
さらに、足の内側面や外側の皮下に感染している水虫を治療する場合、浴室において、直立し治療しようとする側の足を湯船の縁に置き（あるいは湯船の縁に腰をかけて空中であぐらをかき）、水虫治療薬をふやかした足の患部に塗布した後、第３ブラシ部１７の毛の集合体２０を用いてブラッシングして治療をする。これにより、水虫治療薬の有効成分が皮膚の奥の患部まで確実且つ素早く浸透するために、水虫を短期間に完治させることができる。
【００４２】
なお、本出願人が、５日おきに、塩素濃度おおよそ０．３％の次亜塩素酸塩水溶液に連続５時間、水虫の足をくるぶし以上の水位で浸し続けたところ、６ヵ月後には、くるぶし、足の内側面の皮膚、甲の皮膚、指と足本体の付け根の皮膚、小指の縁の皮膚にも、水虫が現れた。水虫は足の裏の皮膚だけではなく、表側の皮膚にも存在する。恐らく靴下内部の繊維を伝わって菌が移動し感染したものと推測される。足の裏の皮膚とは違って表側の皮膚の水虫は、歩行運動時のような加圧や加熱が作用しないため重症化しない。だが水虫を完治させるという意味では、くるぶし、足の内側面の皮膚、甲の皮膚、指と足本体の付け根の皮膚、小指の縁の皮膚など、このような部位に発症した足の表側の水虫をも治療しなければならない。本発明によるブラシ７は、そのような部位に発症した水虫の治療のために考案された。
【００４３】
重症だった水虫が改善されると、硬かった皮膚も柔らかくなる。足の指は異常に伸縮性が大きく柔らかい。足の甲や足のくるぶし周辺は、異常に皮膚が薄い。また、足の小指の縁の皮膚は、足の裏の皮膚に似て厚みを帯びている。「つま先」と「くるぶし」、「踵」を直線で結ぶ三角形の内側面の皮膚は、異常に厚みを帯びて、伸縮性も大きい。足の皮膚はその者の歩き方の癖で、足の表面の皮膚に靴内部の素材が規則的に当たる。よく当たる部分は皮膚が厚くなり、水虫菌が付着し皮膚内に入り込めば水虫が発症する。このように、生活習慣の違いや水虫の改善度の差異によって、皮膚の厚さや伸縮性も異なる。皮膚にも固有振動数が個々あり。ブラシの抵抗力、反発力とその部分の皮膚の固有振動数が近いものでなくては、そのブラシでのブラッシングによる推進力を以て、その皮膚の深層への水虫治療薬の十分な浸透はできない。したがって、足の表側の個々の面に出来た水虫を治療するためのブラシは、一種類では不十分で、数種類必要となる。本発明によるブラシ７の第１〜３ブラシ部１３，１５，１７の植設形態は、それぞれの必要性を十分に満たすために考案された。
【００４４】
本発明の実施の形態に係るブラシ７は、デッキブラシ用の直径０．６ミリのナイロン製の毛を用いているので、素材の抜群の反発力があり、反発力をそのまま対象物へ伝達でき、毛の束の円筒形の側面はくねくねと曲がり足の裏の皮膚、指の皮膚の凹凸の形状に密着する性質を有している。また、ナイロンの毛の束の円筒形の表面は、圧力を加えると若干いびつに変形し、円筒形を崩し微細な段差を形成する。その段差のくぼみに水虫治療薬の有効成分が付着し、その状態で水虫の患部をマッサージすると、より大量の水虫治療薬を患部に送り届けることができる。
【００４５】
各毛の集合体１８ａ，１８ｂ，１８ｃ、１９，２０の毛先は、長い毛と短い毛が１対１の割合で若干３〜４ｍｍ程度の差異が生じるように、作為的に長さをまばらに切りそろえた状態で構成されていることを特徴としている。これは、先端の毛の長さを３〜４ｍｍ程度の長さの範囲で長短を調整し形成することで、皮膚のスライドを止めるブラッシング効果を発生させている。すなわち、ブラッシング時、長い毛の先端は、短い毛の先端よりも、若干早く皮膚に接触する。これにより長い毛の先端は、皮膚をその位置に抑え込む役割を果たしその位置で固定する。次に、短い毛の先端は、長い毛の先端よりも、若干遅く皮膚に接触するので、あらかじめ長い毛の先端が皮膚と接触してその位置に皮膚を固定させスライドを抑制させた状態の皮膚に対して、短い毛の先端がブラッシングを行うことができる。
【００４６】
また、第１ブラシ部１３は、足の指の水虫、あるいは足の指の付け根の水虫の治療に用いるように設計されている。足の指とその付け根周辺の肉質は、非常に弾力性があり、伸縮性に富み、特に付け根は異常に肉厚で高圧なマッサージができなくてはならないし、指の付け根の指と指の谷間の構造は傾斜している。そのため、第１ブラシ部１３では、一番外側の第１列の毛の集合体１８ａが足の指の水虫を治療することができるように毛の高さが足の指の長さよりも長くなっている。また、指と指の間の傾斜した斜面の水虫を治療する中央の第２列の毛の集合体１８ｂは、第１列の毛の集合体１８ａよりも低くなっている。さらに、一番内側の指と足の付け根の水虫を治療する第３列の毛の集合体１８ａは、患部が肉厚なので、非常に低くなっている。
【００４７】
毛の高さが高いほど、反発抵抗力が弱い半面、共鳴振動幅が広く、毛の高さが低くなれば、反発抵抗力が強くなる半面、共鳴振動幅が短くなる。したがって、毛の束を指の間に差し込み、あるいは指の上から、前後左右斜めに押し引きを繰り返して、角度を変えてブラッシングすることで、指の先の先頭部も、足の指の側面も、足の指の付け根も、毛の束の側面が指の断面の円筒形とブラシの束の断面の円筒形の表面が円滑に接するので、あらゆる角度からブラッシングでき絶大な治療効果を発揮することができる。
【００４８】
第２ブラシ部１５は、足の表側の指の付け根と甲の境の肉厚な皮膚の水虫の初期の段階の治療や、小指の外側の縁の皮膚などの非常に薄い皮膚の水虫の治療に用いる。これらの皮膚は、肉厚であっても肉薄であっても、伸縮性があり、あらゆる方向へ一定距離をスライドする。弾力性がありスライドしやすい皮膚ゆえに、ブラシは長めで、ストレートにブラッシング力が伝わらない方が、皮膚との共振性が高められる。
【００４９】
第３ブラシ部１７は、異常に肉厚で、最大限に伸縮性が大きく前後にスライドする次のような部位の水虫に用いられる。すなわち「つま先」と「くるぶし」、「踵」を直線で結ぶ三角形の内側面の皮膚である。足の表側の指の付け根との甲の境の肉厚な皮膚。くるぶしの周辺の皮膚。足首の皮膚。これらの部分の皮膚は、どの方向へも最大限に長距離スライドするので、ブラシは短めで、使用時はブラシ本体を真上から垂直に力強く押し当て皮膚を串刺しにするようにして固定してから、前後左右へ動かしてブラッシングする。そのため、毛は短めの方が良い。ブラシ７を片手で持ち、第３ブラシ部１７の毛の集合体２０を皮膚に押し当て、抑え込もうとする腕力と短めのブラシの毛の反発力が合算し、肉厚かつス最大限にライドしやすい皮下の水虫でさえも、患部を確実に固定し、十分な水虫治療薬の有効成分を十分に届けられるので、絶大な治療効果を発揮することができる。
【００５０】
あまりにも薄くなった皮膚の水虫。あまりにも伸び縮みする皮膚の水虫。皮下に骨がある皮膚の水虫は、縦方向のマッサージによる水虫治療薬の浸透を促しても、マッサージする媒体が生み出す推進力は、皮膚が伸び縮みし皮膚自体が薄く固い骨ぶつかり、マッサージ力そのものが水虫治療薬を浸透させるよりも早く跳ね返って、推進力が拡散、相殺されるので縦方向へは伝わらない。そのような皮膚に対しては縦方向のマッサージでは、水虫は完治させることはできない。しかしながら、上記した本発明によるブラシ７のような構造をもったブラシを用いて、水虫の皮膚を押さえつけて、皮膚に対して横方向のマッサージを行うことで、いくら伸び縮みする薄い皮膚でさえも、横方向への働きかけに対しては、伸び縮みの限界を以て皮膚は硬化し固定し、マッサージの推進力の影響を受ける。
【００５１】
このように本発明品の形態に係る水虫治療器具１によれば、足の裏等の面積の広い患部や、足の指や指の間や爪の間等の面積の狭い患部、しいては甲やくるぶし足首等の足の表面の患部のいずれに対しても、水虫治療薬の有効成分を皮膚の奥の患部まで確実且つ素早く浸透させることができるため、水虫を短期に完治させることができる。
【００５２】
なお、上記した本発明の実施の形態の説明は、本発明に係る水虫治療器具１における好適な実施の形態を説明しているため、材質、形状、量数、位置等において、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素との置き換えが可能であり、かつ、他の既存の構成要素との組み合わせを含む様々なバリエーションが可能であり、上記した本発明の実施の形態をもって、特許請求の範囲に記載された発明の内容を限定するものではない。
【符号の説明】
【００５３】
１    水虫治療器具
２    基台
３    プレート
４    隆起体
４ａ  周壁面
５    突出体
７    ブラシ
１０  微小突起体
１１  土台
１３  第１ブラシ部
１５  第２ブラシ部
１７  第３ブラシ部
１８ａ，１８ｂ，１８ｃ  毛の集合体
１９  毛の集合体
２０  毛の集合体
【図１】
2015112388.tif 000003
【図２】
2015112388.tif 000004
【図３】
2015112388.tif 000005
【図４】
2015112388.tif 000006
【図５】
2015112388.tif 000007
【図６】
2015112388.tif 000008
【図７】
2015112388.tif 000009
【図８】
2015112388.tif 000010
【図９】
2015112388.tif 000011
【図１０】
2015112388.tif 000012